(57)【要約】【課題】カラーコードを有しているランプベースならびにこのような形式のランプベースを備えたランプを改良して、カラーコードの改善されたものを提供する。【解決手段】カラーコードが、プラスチック部分２１１によって形成されており、プラスチック部分２１１が、カラーのプラスチック材料から成っている。【選択図】図１
2006318912.tif 000002
【特許請求の範囲】
【請求項１】
ランプベース（２）であって、
カラーコードを有している形式のものにおいて、
カラーコードが、プラスチック部分（２１１）によって形成されており、該プラスチック部分（２１１）が、カラーのプラスチック材料から成っていることを特徴とする、ランプベース。
【請求項２】
プラスチック部分（２１１）が、外側から看取できる位置で、ランプベース（２）の凹部（２１０）に固定されている、請求項１記載のランプベース。
【請求項３】
プラスチック部分が、ピン（２１１）として形成されており、該ピン（２１１）が、凹部（２１０）に嵌合して配置されている、請求項２記載のランプベース。
【請求項４】
凹部が、穴（２１０）として形成されている、請求項３記載のランプベース。
【請求項５】
請求項１から４までのいずれか１項記載のランプベースを有するランプ。
【発明の詳細な説明】
【技術分野】
【０００１】
本発明は、請求項１の上位概念に記載の形式のランプベースおよびこのような形式のランプベースを備えたランプに関する。
【背景技術】
【０００２】
このような形式のランプベースは、たとえばドイツ連邦共和国実用新案登録第４０４０３７３７号明細書に開示されている。前掲明細書には、それぞれ異なる型の２つのＨ７型ランプを示しており、Ｈ７型ランプの金属ベースは下面でカラーコードを有している。コードは、リングセグメント状のカラー層としてランプベースの金属リングに形成されている。
【特許文献１】ドイツ連邦共和国実用新案登録第４０４０３７３７号明細書
【発明の開示】
【発明が解決しようとする課題】
【０００３】
したがって本発明の課題は、冒頭で述べたような形式のランプベースならびにこのような形式のランプベースを備えたランプを改良して、カラーコードの改善されたものを提供することである。特にコードは、比較的高い耐用性を有している。
【課題を解決するための手段】
【０００４】
この課題を解決するための本発明の装置によれば、カラーコードが、プラスチック部分によって形成されており、プラスチック部分が、カラーのプラスチック材料から成っている。
【０００５】
本発明の特に有利な実施例は、従属請求項１記載の装置に記載した。
【発明の効果】
【０００６】
本発明の構成によれば、カラーコードが、従来技術で開示されたカラー層よりも高い耐用性を有している。特に本発明によるランプベースのコード情報は擦過しにくく形成されている。さらにランプの耐用寿命の間にコードが色落ちするか、または剥離する恐れはない。
【０００７】
カラーコードを形成するプラスチック部分は、有利には、ランプベースの、外側から看取可能な位置で、ランプベースの凹部に固定されており、これによって、プラスチック部分の色によってランプの使用者にランプ型に関する情報を与えることができ、かつランプベースにプラスチック部分を確実に固定することができる。有利には、プラスチック部分のカラーのプラスチック材料は、プラスチック部分の固定されたランプベースもしくはランプベース部分とは別の色を有しており、これによって良好な視認性が保証される。
【０００８】
有利には、前述のプラスチック部分はピンとして形成されており、ピンは、ランプベースの凹部に嵌合して配置されている。これによって凹部におけるプラスチック部分の確実な固定が保証される。本発明の有利な実施例によれば、凹部は、穴として形成されており、穴にピンが嵌合して配置されている。これによってカラーのプラスチックピンは、純然たる機械式の締め込み（クランプ嵌め）によって穴に固定することができる。有利には、ピンは全長にわたって穴に配置されているので、端部しか看取されない。
【発明を実施するための最良の形態】
【０００９】
以下に本発明の実施の形態を図面を用いて具体的に説明する。
【００１０】
図４に示した、本発明によるランプの有利な実施例は、Ｈ１１型ランプのハロゲンランプであって、このランプは、たとえばハイビームまたはフォグライトを形成するために、自動車前照灯に使用可能である。ランプは、封止された端部１０を有するガラス製のランプ容器１を備えており、封止端部１０はベース２に取り付けられている。ランプ容器１の内室に、軸方向に向けられたコイル状のフィラメント３が配置されており、フィラメント３の終端部は、それぞれ封止端部１０から導出する給電線４，５と接続されている。ベース２は、いわゆる金属−プラスチックベースである。つまりベース２は、金属から成るベース部分とプラスチックから成るベース部分とを備えている。ランプ容器１の封止端部１０は、金属製のベース部分２０に取り付けられている。金属製のベース部分２０もまたプラスチックから成るベース部分２１に固定されており、ベース部分２１に２つの電気的な接続部６，７が設けられている。電気接続部６，７は、それぞれ金属薄板から成っていて、かつそれぞれコンタクト面を有する端部６１，７１を備えており、端部６１，７１は、半径方向でプラスチックベース部分２１から突出しているので、端部６１，７１のコンタクト面は、前照灯の縦軸線に対して垂直方向のそれぞれ異なる平面上で、僅かな間隔を有して上下にまたは相並んで配置されている。
【００１１】
図１には、プラスチックベース部分２１を断面図で示した。プラスチックベース部分２１は、ブラックの色をしたプラスチック、たとえばライトン（Ｒｙｔｏｎ(R)）から成っている。プラスチック部分２１は、下面で、つまりランプ容器１とは反対側で、凹部としての穴２１０を備えており、穴２１０はランプの縦軸線に対して平行に延びている。穴２１０に、カラーのプラスチックピン２１１（図３に示した）が嵌合して配置されている。プラスチックピン２１１は、たとえばブルーまたはオレンジの色をしたポリアミドから成っていて、かつ６ミリメートルの長さならびに２．４５ミリメートルの厚さを有している。プラスチックピン２１１は、全長にわたって穴２１０に配置されているので、プラスチックピン２１１のヘッドもしくは端部しかランプベース２１の下面から看取できない（図２）。同じランプ型の様々なに仕様は、それぞれ異なる色を有するプラスチックピン２１が設けられており、これによって簡単に区別することができる。たとえばランプの使用者は、それぞれ異なる色のプラスチックピンによって、簡単に、ロングライフ仕様または色温度の高められた仕様の標準型のＨ１１型ランプを区別することができる。これによって故障したランプを交換する際に、同じランプ型の異なる仕様が車両に使用されないように保証することができる。
【００１２】
本発明は、上述の実施例に制限されるものではなく、金属ベースを備えたランプおよび一般的な照明用のランプに適用することもできる。
【図面の簡単な説明】
【００１３】
【図１】本発明の有利な実施例によるランプベースの一部を示す断面図である。
【図２】図１に示したランプベースの下面を示す平面図である。
【図３】図１および図２に示したランプベース部分の穴に固定されたカラーのプラスチックピンを示す側面図である。
【図４】図１および図２に示したランプベース部分を備えたランプ全体を示す側面図である。
【符号の説明】
【００１４】
１  放電容器、  ２  ベース、  ３  フィラメント、  ４，５  給電線、  ６，７  電気接続部、  １０  端部、  ２０  ベース部分、  ６１，７１  端部、  ２１０  穴、  ２１１  プラスチックピン
【図１】
2006318912.tif 000003
【図２】
2006318912.tif 000004
【図３】
2006318912.tif 000005
【図４】
2006318912.tif 000006